(57)【特許請求の範囲】
【請求項１】
表示部と一体に構成されたタッチパネルにおける入力操作に応じて、ページ単位で電子情報を上記表示部に表示する情報処理装置において、
表示する電子情報のページにおける辺のうち、ページの綴じ側にある辺付近に対する入力操作を検知する入力操作検知手段と、
上記入力操作検知手段が入力操作を検知した後、所定の入力操作を検知したことに応じて、１ページ単位でページを追加または削除する処理を行うページ処理手段と、を備えることを特徴とする情報処理装置。
【請求項２】
上記ページの綴じ側にある辺付近に対する入力操作は、上記ページの綴じ側にある辺の近傍を、現在表示されているページの上下方向に対してドラッグまたはフリックする操作であることを特徴とする請求項１に記載の情報処理装置。
【請求項３】
上記ページ処理手段は、上記入力操作検知手段によって、上記所定の入力操作を連続して複数回検知した場合、各検知の時点で表示されているページのそれぞれを削除することを特徴とする請求項１または２に記載の情報処理装置。
【請求項４】
上記ページ処理手段は、上記ドラッグまたは上記フリックを検知した後、所定時間、上記所定の入力操作を検知しなかった場合、上記ページを追加または削除する処理を行わないことを特徴とする請求項２に記載の情報処理装置。
【請求項５】
上記ページ処理手段は、上記綴じ側の辺に対する略垂直方向のうち、上記綴じ側の辺から離れる方向の入力操作を検知したことに応じて、現在表示されているページを削除する処理を行うことを特徴とする請求項１から４のいずれか１項に記載の情報処理装置。
【請求項６】
上記ページ処理手段がページを削除する処理を行う間、該処理が進行していることを示す表示を行う削除表示手段と、
上記削除表示手段が上記表示を行っている間に、入力操作を検知した場合、上記ページ処理手段によるページを削除する処理を中止させる削除中止手段と、を備えることを特徴とする請求項５に記載の情報処理装置。
【請求項７】
上記ページ処理手段は、上記綴じ側の辺に対する略垂直方向のうち、上記綴じ側の辺に対し接近する方向の入力操作を検知したことに応じて、新しいページを追加する処理を行うことを特徴とする請求項１から６のいずれか１項に記載の情報処理装置。
【請求項８】
表示部と一体に構成されたタッチパネルにおける入力操作に応じて、ページ単位で電子情報を上記表示部に表示する情報処理装置の制御方法において、
表示する電子情報のページにおける辺のうち、ページの綴じ側にある辺付近に対する入力操作を検知する入力操作検知ステップと、
上記入力操作検知ステップにおいて入力操作を検知した後、所定の入力操作を検知したことに応じて、１ページ単位でページを追加または削除する処理を行うページ処理ステップと、を含むことを特徴とする情報処理装置の制御方法。
【発明の詳細な説明】
【技術分野】
【０００１】
本発明は電子情報をページ単位で表示する情報処理装置および情報処理装置の制御方法に関する。
【背景技術】
【０００２】
従来、コンピュータの普及とともに、ユーザがより直感的にコンピュータを操作できるように、種々のユーザーインターフェースが開発されている。特に近年、これまで紙媒体で提供されていた情報を、電子化して情報提供する技術分野において、数々のユーザーインターフェースの提案がなされている。
【０００３】
例えば、特許文献１には、電子情報をページ単位で表示する技術が開示されている。具体的には、特許文献１では、ページ単位での電子情報の表示において、実際の書籍のような操作感が得られるように、タッチパネル等における操作に応じてページ捲り処理を行うユーザーインターフェースが提案されている。
【先行技術文献】
【特許文献】
【０００４】
【特許文献１】特開２００４−２８８２０８号公報（２００４年１０月１４日公開）
【発明の概要】
【発明が解決しようとする課題】
【０００５】
しかしながら、特許文献１に記載の技術は、あくまで情報閲覧用のユーザーインターフェースであり、予め用意された電子情報をページ単位で提示するときに、実際の書籍のような操作感が得られるに過ぎない。つまり、ページ単位で提示された電子情報を編集する際のユーザーインターフェースについてはなんら言及していない。
【０００６】
このため、特許文献１に開示されているユーザーインターフェースでは、ページ単位で提示された電子情報を編集することは想定されていなかった。よって、例えば、ページの追加・削除といった操作を行うときの便宜は考慮できていなかった。
【０００７】
本発明は、上記の問題点に鑑みてなされたものであり、その目的は、ページ単位で提示される電子情報を表示しているときに、ページを増減する処理を行う場合の便宜を図ったユーザーインターフェースを提供する情報処理装置および情報処理装置の制御方法を実現することにある。
【課題を解決するための手段】
【０００８】
本発明に係る情報処理装置は、上記課題を解決するために、表示部と一体に構成されたタッチパネルにおける入力操作に応じて、ページ単位で電子情報を上記表示部に表示する情報処理装置において、表示する電子情報のページにおける辺のうち、ページの綴じ側にある辺付近に対する入力操作を検知する入力操作検知手段と、上記入力操作検知手段が入力操作を検知した後、所定の入力操作を検知したことに応じて、ページを増減させる処理を行うページ処理手段と、を備えることを特徴としている。
【０００９】
また、本発明に係る情報処理装置の制御方法は、上記課題を解決するために、表示部と一体に構成されたタッチパネルにおける入力操作に応じて、ページ単位で電子情報を上記表示部に表示する情報処理装置の制御方法において、表示する電子情報のページにおける辺のうち、ページの綴じ側にある辺付近に対する入力操作を検知する入力操作検知ステップと、上記入力操作検知ステップにおいて入力操作を検知した後、所定の入力操作を検知したことに応じて、ページを増減させる処理を行うページ処理ステップと、を含むことを特徴としている。
【００１０】
上記構成によれば、まず、表示する電子情報のページにおける辺のうち、ページの綴じ側にある辺付近に対する入力操作を検知する。
【００１１】
入力操作とは、タッチパネルにおいて認識できる操作のことであり、例えば、クリック、フリック、ドラッグ、およびスワイプ等が挙げられる。
【００１２】
上記情報処理装置が、ページ単位で電子情報を表示部に表示する場合において、表示するページの一辺は、ページの綴じ側を表している。なお、ページの綴じ側の辺を表すとは、紙媒体のノートや、書籍における綴じ側を模した画像を表示しているということである。
【００１３】
上記情報処理装置が表示するページは、紙媒体のノートや、書籍の表現を模したものであるため、直感的なユーザーインターフェースを提供することができる。
【００１４】
ここで、ページの綴じ側にある辺付近に対する入力操作は、綴じられたページを綴じ部からページを開放するという動作を示している。綴じられたページを綴じ部からページを開放する手法は、いくつか考えられる。つまり、ページを綴じる方法に応じて手法は異なる。いずれの手法を用いるにしてもページの綴じ側に対して何らかの操作を行うことが考えられる。
【００１５】
例えば、製本された紙媒体の書籍からページを切り離すには、刃物等で、ページの綴じ側の辺に沿って切れ目を入れることが考えられる。よって、ページの綴じ側にある辺付近に対する入力操作としては、例えば、ページの綴じ側の辺に沿った方向の入力操作を採用することができる。
【００１６】
言い換えれば、ページの綴じ側の辺に沿った方向の入力操作は、紙媒体のノート・書籍において、ページが綴じられているノドの部分をなぞる動作に相当し、ページの接合部分を分断するしぐさを表している。
【００１７】
また、他にも例を挙げれば、ルーズリーフにおいてノート紙面を入れ替えるとき、リング状の留め具を、当該留め具の両端に設けられたレバーにより開放する。
【００１８】
よって、ページの綴じ側にある辺付近に対する入力操作としては、例えば、ページの綴じ側の辺の端部に対する入力操作を採用することができる。ここで端部とは、ページの綴じ側の辺の両端であってもよいし、ページの綴じ側の辺の端部のうち、いずれか一方であってもよい。
【００１９】
すなわち、ページの綴じ側の辺の端部に対する入力操作は、ルーズリーフのレバー操作に相当する。
【００２０】
これらの入力操作は、ページ自体に影響を及ぼすこと、とくにページがなくなったり、増えたりすることを示唆するものであるので、ページの追加・削除のようにページ単位での処理を開始するという意味合いをユーザが理解するのに都合がよい。
【００２１】
そして、上記構成では、ページの綴じ側にある辺付近に対する入力操作を検知した後、すなわち、ページの接合部分を分断するしぐさを検知した後、所定の入力操作を検知したことに応じて、ページを増減させる処理を行う。
【００２２】
この所定の入力操作は、例えば、ページを増減させる処理を開始するために予め定められている操作であり、その構成に特に制限はない。また、所定の入力操作は、ユーザが、ページを、ノート本体から移動させる、ページを増減させる、ページを入れ替えるといったことが理解できるような操作であってもよい。
【００２３】
他にも、所定の入力操作は、上記綴じ側の辺に対して略垂直方向の入力操作であってもよい。ここで、綴じ側の辺に対して略垂直方向の入力操作は、紙媒体のノート・書籍において、ページを綴じ側から切り離したり、ページを挿入したりするという動作に相当する。従って、この綴じ側の辺に対する略垂直方向には、ページを綴じ側から切り離したり、ページを挿入したりする動作を行う意思があると認識できる程度の幅をもたせることができる。
【００２４】
ページを増減させる処理とは、具体的には、現在表示しているページの電子情報を削除したり、新しいページを追加したりする処理である。ページを増減させる処理には、他にも、現在表示しているページを一度取り除き、当該取り除いたページを他の場所に追加することも含まれる。
【００２５】
このような入力操作により、ページを増減する処理を行うことができるので、紙媒体のノート・書籍においてページを増減させるかのような操作感をユーザに与えることができる。
【００２６】
このように、情報処理装置では、ページの接合部分に切れ目を入れて分断するようなしぐさの後に続く、ページを綴じ側の辺に対する略垂直方向への入力操作により、ページを増減させることができる。これにより、紙媒体のノート・書籍のページを追加・削除しているかのような、直感的な操作によりユーザがページを削除できるようなユーザーインターフェースを提供することができる。
【００２７】
さらにいえば、上述のように、２段階でページの削除操作を行うというユーザーインターフェースであるので、意図しない処理が起ってしまうことを防ぐ効果もある。例えば、誤ってページを削除するということを防ぐことができる。
【００２８】
また、本発明に係る情報処理装置では、上記ページ処理手段は、上記綴じ側の辺に対する略垂直方向のうち、上記綴じ側の辺から離れる方向の入力操作を検知したことに応じて、現在表示されているページを削除する処理を行うことが好ましい。
【００２９】
上記綴じ側の辺に対する略垂直方向のうち、上記綴じ側の辺から離れる方向の入力操作は、ページを綴じ側から遠ざけ、切り離すという動作に該当する。
【００３０】
このように、ページの接合部分に切れ目を入れて分断するようなしぐさの後に続く、ページを綴じ側から遠ざけ、切り離すというしぐさにより、現在表示しているページが削除される。
【００３１】
なお、ページを削除するとは、例えば、ページを表示上から取り除くとともに、当該ページに対応する電子情報を削除することを指す。また、削除には、ファイル管理機能が提供するいわゆるゴミ箱機能のような、一時的な削除領域に、電子情報が退避されることも含まれる。
【００３２】
上記構成によれば、紙媒体のノート・書籍のページを削除しているかのような、直感的な操作によりユーザがページを削除できるようなユーザーインターフェースを提供することができる。
【００３３】
また、本発明に係る情報処理装置では、上記ページ処理手段がページを削除する処理を行う間、該処理が進行していることを示す表示を行う削除表示手段と、上記削除表示手段が上記表示を行っている間に、入力操作を検知した場合、上記ページ処理手段によるページを削除する処理を中止させる削除中止手段と、を備えることが好ましい。
【００３４】
上記構成によれば、ページの電子情報を削除する削除処理は、上記表示が行なわれる間の所定の時間をかけて行われる。この表示としては、例えば、ページが破れたり、捲れて切り離されたりする表示効果が挙げられる。
【００３５】
そして、この表示を行っている間に、削除処理に割り込んで、当該削除処理を中止する入力操作を行うことができる。
【００３６】
削除処理を行っている途中に、ユーザが削除処理をやめたいと希望する場合も想定されるところ、上記構成によれば、このようなユーザの希望に応じることができる。
【００３７】
なお、上記削除処理の進行を示す表示効果の画像に対して入力操作を検知したとき、削除処理を中止するようにしてもよい。この場合、上記削除処理の進行の表示に逆らって削除処理を阻止する、という動機付けがあるため、ユーザにとって理解しやすいユーザーインターフェースとなる。
【００３８】
また、本発明に係る情報処理装置では、上記ページ処理手段は、上記綴じ側の辺に対する略垂直方向のうち、上記綴じ側の辺に対し接近する方向の入力操作を検知したことに応じて、新しいページを追加する処理を行うことが好ましい。
【００３９】
上述のとおり、実際の文房具のルーズリーフでは、リング状の留め具を開放することにより、ノート紙面を取り除くだけでなく、追加することもできる。
【００４０】
上記構成によれば、新しいページを追加する際、このルーズリーフのノート紙面の入れ替えに似た操作感をユーザに提供することができるので、ユーザに直感的なユーザーインターフェースを提供することができる。
【００４１】
なお、新しいページを追加するとは、例えば、ページを追加して表示を更新するとともに、当該新しいページに対応する電子情報も追加することを指す。
【００４２】
また、本発明に係る情報処理装置では、上記入力操作検知手段が入力操作を検知すると、ページを増減させる処理を行う処理を受け付けていることを示す画像を、上記綴じ側の辺に沿って表示する受付状態表示手段を備えることが好ましい。
【００４３】
上記構成によれば、現在表示しているページの電子情報を削除したり、新しいページを追加したりできる状態にあることをユーザに通知することができる。しかも、綴じ側の辺に沿って、現在表示しているページの増減処理をすることができることを示す画像を表示するので、自分が行った入力操作の結果、ページの増減処理が可能な状態になったということを、ユーザに認識させることができる。
【００４４】
なお、上記画像は、上記綴じ側の辺に接触させて表示してもよいし、離間して表示してもよい。すなわち、上記画像は、綴じ側の辺に近い位置に表示させればよい。
【００４５】
また、この画像は、ページに影響を与えることが理解できるようなものであることが好ましく、例えば、切り取り線のようなものが採用できる。
【００４６】
また、本発明に係る情報処理装置では、上記受付状態表示手段は、ページを綴じるための留め具が、閉じられている状態から、開放された状態に変化する画像を、上記画像として表示することが好ましい。
【００４７】
ルーズリーフは、ノート紙面を綴じるためのリング状の留め具を有する文房具である。そして、実際の文房具のルーズリーフでは、ノート紙面を綴じるための留め具を閉じたり、開放したりすることによってノート紙面を挿入したり、取り出したりできる状態となる。
【００４８】
上記構成によれば、このルーズリーフのノート紙面の入れ替えに似た操作感をユーザに提供することができるので、ユーザに直感的なユーザーインターフェースを提供することができる。
【００４９】
また、本発明に係る情報処理装置では、上記ページ処理手段が削除したページの電子情報を保持する削除ページ保持部と、所定の入力操作に応じて上記削除ページ保持部に保持されている電子情報を削除前の状態に戻す状態復帰手段と、を備えることが好ましい。
【００５０】
上記構成によれば、一度、あるページの電子情報を削除してしまっても、完全には情報処理装置からは、電子情報は削除されず保持される。そして、任意のタイミングで保持されている電子情報を元に戻すことができる。よって、誤ってあるページの電子情報を削除してしまった場合や、後から削除してしまったページの電子情報が必要となった場合に、削除したページの電子情報を元に戻すことができる。
【発明の効果】
【００５１】
本発明に係る情報処理装置は、表示する電子情報のページにおける辺のうち、ページの綴じ側にある辺付近に対する入力操作を検知する入力操作検知手段と、上記入力操作検知手段が入力操作を検知した後、所定の入力操作を検知したことに応じて、ページを増減させる処理を行うページ処理手段と、を備える構成である。
【００５２】
また、本発明に係る情報処理装置の制御方法は、表示する電子情報のページにおける辺のうち、ページの綴じ側にある辺付近に対する入力操作を検知する入力操作検知ステップと、上記入力操作検知ステップにおいて入力操作を検知した後、所定の入力操作を検知したことに応じて、ページを増減させる処理を行うページ処理ステップと、を含む方法である。
【００５３】
よって、紙媒体のノート・書籍のページを追加・削除しているかのような、直感的な操作によりページを増減できるようなユーザーインターフェースを提供することができる。
【図面の簡単な説明】
【００５４】
【図１】本発明の一実施形態に係る電子ノート装置の構成例を示すブロック図である。
【図２】電子ノート情報のデータ構造について例示したデータ構造図である。
【図３】電子ノートの１ページ目のページ情報を表示した場合について例示する図である。
【図４】電子ノートの２ページ目のページ情報を表示した場合について例示する図である。
【図５】電子ノートに対する編集機能を集約したツールボックスについて示す図である。
【図６】電子ノートの１ページ目のページ情報を表示した場合について例示する図である。
【図７】削除モードにおける表示について例示する図である。
【図８】電子ノートの１ページ目のページ情報を削除する場合について例示する図である。
【図９】電子ノートの１ページ目のページ情報を削除処理するときの表示効果について例示する図である。
【図１０】電子ノートの２ページ目のページ情報を削除する場合について例示する図である。
【図１１】電子ノートの２ページ目のページ情報に対する削除処理が進行している状態について例示する図である。
【図１２】電子ノートの３ページ目のページ情報を表示した場合について例示する図である。
【図１３】電子ノート装置における電子ノート機能部のページ削除処理の流れについて示したフローチャートである。
【図１４】本発明の他の実施形態に係る電子ノート装置の構成例を示す機能ブロック図である。
【図１５】上記電子ノート装置の電子ノート機能が提供するユーザーインターフェースの一例を示している。
【図１６】上記電子ノート装置の電子ノート機能が提供するユーザーインターフェースの一例を示している。
【図１７】上記電子ノート装置の電子ノート機能が提供するユーザーインターフェースの一例を示している。
【図１８】上記電子ノート装置の電子ノート機能が提供するユーザーインターフェースの他の例を示している。
【図１９】上記電子ノート装置の電子ノート機能が提供するユーザーインターフェースの他の例を示している。
【発明を実施するための形態】
【００５５】
〔実施形態１〕
本発明の一実施形態について図１〜図１３を参照して説明すると以下のとおりである。
【００５６】
まず、図１を用いて、本実施形態に係る電子ノート装置（情報処理装置）１００の機能概要について説明する。図１は、電子ノート装置１００の一構成例を示すブロック図である。
【００５７】
電子ノート装置１００は、ユーザからの手書き入力を受け付けて、ソフトウェア上で実現されたノートをユーザに編集させるための機能や、その他の情報処理機能を提供するためのものである。なお、以下において、ソフトウェア上で実現されているノートを電子ノートと称する。
【００５８】
図１に示すように、電子ノート装置１００は、タッチパネル部１２０、記憶部１３０、および主制御部１４０を備える構成である。
【００５９】
タッチパネル部１２０は、電子ノート装置１００における入力操作および画面表示といったユーザーインターフェースを提供するものであり、表示部１２１と、位置入力部（タッチパネル）１２２と、を含む構成である。
【００６０】
位置入力部１２２は、タッチパネル部１２０の操作面へのタッチ操作が行われた位置であるタッチ位置を検出し、検出した位置に応じた入力位置情報を生成する。
【００６１】
ここで、タッチ操作とは、タッチペン１５１などの指示部材や、ユーザの指１５２等を操作面に接触させる操作のことである。また、タッチ位置とは、タッチペン１５１や、ユーザの指１５２を操作面に接触させた場合に、位置入力部１２２が検出する位置のことである。
【００６２】
また、位置入力部１２２は、例えば、タッチパネルにより実現することができる。ここでは、位置入力部１２２がタッチ位置を検出する手法として、例示的に、静電容量方式を採用している。しかしながら、これに限られず、例えば、マトリクス・スイッチ、抵抗膜方式、表面弾性波方式、赤外線方式、電磁誘導方式、静電容量方式、および、対象物の画像を検出する方式（光センサ方式）などの種々の手法を適宜採用することができる。
【００６３】
そして、位置入力部１２２は、例示的に、複数のタッチ位置を同時に検出可能に構成している。なお、これに限られず、位置入力部１２２を、単一のタッチ位置のみを検出するように構成してもよい。
【００６４】
位置入力部１２２は、タッチペン１５１によるタッチ操作と、ユーザの指１５２によるタッチ操作とを判別して検出する。これは、例えば、位置入力部１２２を次のように構成することにより実現することができる。
【００６５】
すなわち、位置入力部１２２がタッチペン１５１または指１５２の接触を検知した領域を検出して、検出した領域の広さを算出する。そして、位置入力部１２２は、算出した領域の広さが、所定の広さより広ければ指１５２によるタッチ操作であると判別し、所定の広さより狭ければタッチペン１５１によるタッチ操作であると判別する。
【００６６】
位置入力部１２２は、タッチ操作がタッチペン１５１によるものか、それともユーザの指１５２によるものかを示す種別を入力位置情報に含めてもよい。
【００６７】
また、位置入力部１２２は、タッチペン１５１のペン先が、タッチパネル部１２０の操作面に接触せずに、微小距離だけ離れた近接位置に保持されている状態、いわゆるホバー状態を検知することができる。
【００６８】
位置入力部１２２は、操作面上のタッチ位置を示す２次元の座標データを入力位置情報として生成してもよい。また、位置入力部１２２は、タッチ操作の圧力を検出して、検出した圧力に関する情報を入力位置情報に含めてもよい。
【００６９】
表示部１２１は、画像データを表示するための表示画面を有しており、主制御部１４０から画像データを受信し、受信した画像データに基づいてその表示画面に画像を表示するものである。表示部１２１は、例えば、ＬＣＤ（Liquid Crystal Display）、ＰＤＰ（Plasma Display Panel）、ＥＬ（Electroluminescence）ディスプレイ、電子ペーパーなどにより実現可能である。
【００７０】
なお、位置入力部１２２は、例示的に、表示部１２１の表示画面の上に、重ね合わせられた一体構造として形成し、表示画面の座標と、操作面の座標とが対応するようにしている。この両者の座標を対応付けるための情報が記憶部１３０に記憶されていてもよい。
【００７１】
また、位置入力部１２２は、表示部１２１の表示画面における表示を妨げないよう、表示画面に対応する部分が光を透過する部材により構成される。
【００７２】
このような構成により、表示部１２１に表示された画面を、ユーザが確認しながら、操作面に対して入力操作を行えるようになっている。表示部１２１に表示される画面について、具体的に例示すれば、表示部１２１は、アイコンなどのＧＵＩ（Graphical User Interface）画面を表示画面に表示する。そして、位置入力部１２２の操作面がユーザの指（または、タッチペン）によりタッチされることにより、タッチされたアイコンや画像に対応する座標情報が位置入力部１２２によって生成される。
【００７３】
以上、タッチパネル部１２０の構成について例示したが、これに限られず、表示画面と操作面とが共用されるものであれば、任意の構造のものが利用できる。
【００７４】
記憶部１３０は、各種データおよびプログラムを記憶するものである。記憶部１３０は、例えば、ハードディスク、フラッシュメモリ、ＲＯＭ（Read Only Memory）、ＲＡＭ（Random Access Memory）等により構成することができる。記憶部１３０の詳細については後述する。
【００７５】
主制御部１４０は、電子ノート装置１００における各種構成を統括的に制御するものである。主制御部１４０の機能は、例えばＲＡＭやフラッシュメモリなどの記憶素子に記憶されたプログラムをＣＰＵ（Central Processing Unit）が実行することによって実現される。
【００７６】
（記憶部および主制御部の具体的構成）
続いて、記憶部１３０および主制御部１４０のより具体的な構成について説明すると次のとおりである。
【００７７】
まず、記憶部１３０の構成について説明する。図１に示すように、記憶部１３０は、電子ノート情報記憶部１３１および削除ページ保持部１３２を備える。
【００７８】
電子ノート情報記憶部１３１には、電子ノート情報が記憶されている。図２を用いて、電子ノート情報のデータ構造について説明すると次のとおりである。同図は、電子ノート情報のデータ構造について例示したデータ構造図である。
【００７９】
図２に示すように、電子ノート情報Ｎ１は、電子ノートの各ページについての電子情報であるページ情報Ｐ１を含む。ページ情報Ｐ１は、「ページ番号」、「編集情報」、および「リフィルタイプ」のデータを含む。
【００８０】
「ページ番号」は、そのページに割り当てられたページ番号を示す。また、「編集情報」は、ユーザが、タッチパネル部１２０を介して、手書きで自由に編集できるデータ領域である。「編集情報」のデータフォーマットには、デジタルインク方式や、ビットマップ方式に基づくものを採用することができる。
【００８１】
「リフィルタイプ」には、各ページに設定するリフィルの種類が設定される。ここでリフィルの種類とは、シートの柄のことであり、例えば、紙媒体のノートに付されているような罫線等を表示するものである。この表示は、例えば、シートの背景に罫線等を表した背景画像を表示することにより実装される。
【００８２】
リフィルタイプには複数の種類があり、その例としては、７ｍｍ横罫や、ドット入り６ｍｍ横罫等の横罫線、５ｍｍ方眼、無地、および会議録等が挙げられる。
【００８３】
削除ページ保持部１３２は、削除されたページ情報を一時的に退避しておくためのものである。
【００８４】
次に、再び、図１を参照しながら、主制御部１４０について説明すると次のとおりである。主制御部１４０は、電子ノート装置１００が備える各情報処理機能を実現するためのアプリケーション部１４１を有している。
【００８５】
アプリケーション部１４１は、電子ノート機能部１４２、スケジュール管理機能部１４３、および、インターネット機能部１４４を備えている。
【００８６】
電子ノート機能部１４２は、電子ノートの編集・閲覧を行う電子ノート機能を提供するものである。また、スケジュール管理機能部１４３は、スケジュールの編集・管理を行うスケジュール管理機能を提供するものである。また、インターネット機能部１４４は、外部ネットワークと通信するための通信部（不図示）を介してインターネットに通信接続するインターネット機能を提供するためのものである。
【００８７】
このように、電子ノート装置１００のアプリケーション部１４１は、電子ノート機能だけでなく、スケジュール管理機能や、インターネット機能等の各種機能を提供する。アプリケーション部１４１が提供する各種機能は、任意のアプリケーションをインストールまたはアンインストールすることによって、追加または削除することができる。
【００８８】
そして、アプリケーション部１４１は、タッチパネル部１２０が、ユーザからのアプリケーション切り替え操作を受け付けると、受け付けた切り替え操作に応じて、電子ノート機能部１４２による電子ノート機能、スケジュール管理機能部１４３によるスケジュール管理機能、およびインターネット機能部１４４によるインターネット機能を相互に切り替えることができる。
【００８９】
また、電子ノート装置１００の起動時には、電子ノート機能部１４２における電子ノート機能が動作するようになっていてもよい。
【００９０】
また、アプリケーション部１４１は、タッチパネル部１２０の位置入力部１２２から送信される入力位置情報をもとに、ユーザがタッチパネル部１２０に対して行ったタッチ操作やジェスチャーを認識する機能を備える。ここで、ジェスチャーとは、所定のパターンに従ってするタッチ操作のことであるが、その詳細は以下のとおりである。
【００９１】
アプリケーション部１４１が認識するジェスチャーには、例えば、シングルタッチ、ダブルタッチ、ドラッグ、およびフリック等が含まれる。
【００９２】
シングルタッチは、タッチパネル部１２０のある位置に指１５２等を接触させて、すぐに離すタッチ操作をするジェスチャーである。
【００９３】
ダブルタッチは、タッチパネル部１２０に対して、上記シングルタッチを所定の短い時間内に続けて２回行うジェスチャーである。
【００９４】
また、ドラッグは、タッチパネル部１２０に指１５２等を接触させた状態にして、そのまま指１５２等をスライドさせるジェスチャーである。
【００９５】
フリックは、タッチパネル部１２０に指１５２等を接触させて、そのまま指１５２等をスライドさせ、所定の短い時間内に接触している指１５２等をタッチパネル部１２０から離すタッチ操作をするジェスチャーのことである。すなわち、フリックとは、タッチパネル部１２０を軽くはじくような動作となる。
【００９６】
アプリケーション部１４１は、ジェスチャーを認識すると、認識したジェスチャーを示すジェスチャー情報を生成する。
【００９７】
ジェスチャー情報とは、ユーザが画面をタッチしたときにおけるタッチ位置の座標の変化を示す情報のことである。ジェスチャー情報の具体例としては、ユーザが画面垂直方向の上から下の向きにドラッグを行って変化したタッチ位置の座標の変化量を示す情報が挙げられる。なお、ジェスチャー情報は、ユーザがどのようなジェスチャーをどの方向に対して行ったかを示す情報であってもよい。
【００９８】
アプリケーション部１４１は、生成したジェスチャー情報を、電子ノート機能部１４２、スケジュール管理機能部１４３、および、インターネット機能部１４４に通知する。
【００９９】
（電子ノート機能の概要について）
図３〜５を用いて、電子ノート装置１００のアプリケーション部１４１の電子ノート機能部１４２において実現されている電子ノート機能の概要について説明すると次のとおりである。
【０１００】
まず、図３を用いて、タッチパネル部１２０の表示部１２１において表示される電子ノートの外観について説明する。図３は、電子ノートの１ページ目のページ情報Ｐ１を表示した場合について例示している。
【０１０１】
なお、例示的に、ページ情報Ｐ１の「ページ番号」は、“１”であり、「リフィルタイプ」には“横罫線”が設定されているものとする。また、ページ情報Ｐ１の「編集情報」には、“Ｐ１．ｍｅｍｏ  ＡＢＣＤＥＦＧＨＩＪＫＬＭＮ”が手書き入力されているものとする。
【０１０２】
図３に示すように、電子ノートの表示領域には、ページ情報Ｐ１の「ページ番号」を表示するためのページ番号領域２０１、「編集情報」を表示するための編集領域２０２が含まれる。図３に示すページ番号領域２０１には、ページ情報Ｐ１の「ページ番号」である“１”が表示されている。また、同図において、ページ番号領域２０１には、「編集情報」の“Ｐ１．ｍｅｍｏ  ＡＢＣＤＥＦＧＨＩＪＫＬＭＮ”が表示される。
【０１０３】
また、図３示すページ情報Ｐ１の表示において、左側が、紙媒体のノートでいうところのノドの部分に該当する。つまり、図３の左側は、紙媒体のノートの見開き中央部分、すなわちノートの綴じ側に該当する。一方、図３示すページ情報Ｐ１の表示において、右側は、紙媒体のノートの外側、つまり小口（前小口）に該当する。
【０１０４】
なお、この構成は一例として示したものに過ぎず、上下に開くノートのように構成することも可能である。
【０１０５】
ユーザは、タッチパネル部１２０を介して、編集領域２０２において「編集情報」を編集可能である。なお、「ページ番号」は、電子ノート機能部１４２において自動的に番号が割り振られて管理される。
【０１０６】
また、図３に加えて図４を用いて、電子ノート機能部１４２が実現している電子ノートのページ送りについて説明すると次のとおりである。図４は、電子ノートの２ページ目のページ情報Ｐ２を表示した場合について例示している。
【０１０７】
電子ノート機能部１４２は、図３および図４に示す状態において、ページ捲りジェスチャー情報を受け付ける。ページ捲りジェスチャー情報は、例えば、画面水平方向、左右の向きへのフリックを示すものである。そして、ページ捲りジェスチャー情報に応じて、電子ノート機能部１４２は、電子ノート情報記憶部１３１から、現在表示されているページの次のページのページ情報を読み出して、表示部１２１に表示させたり、現在表示されているページの前のページのページ情報を読み出して、表示部１２１に表示させたりする。
【０１０８】
具体的には、図３に示す矢印Ｆ１の方向にフリック（左フリック）を行うと、１ページ目が捲れる表示効果の後、電子ノート機能部１４２によって２ページ目のページ情報Ｐ２が読み出され、図４に示すように、２ページ目のページ情報Ｐ２が表示部１２１に表示される。ここでは、図４に示すように、ページ情報Ｐ２の編集情報である“Ｐ．２ｍｅｍｏ  ａｂｃｄｅｆｇ”が表示される。
【０１０９】
逆に、図４に示すように、２ページ目のページ情報Ｐ２が表示されているときに、矢印Ｆ２の方向にフリック（右フリック）を行うと、電子ノート機能部１４２によって１ページ目のページ情報Ｐ１が読み出され、図３に示す１ページ目のページ情報Ｐ１が表示部１２１に表示される。
【０１１０】
このように、電子ノート機能部１４２は、左フリックを検知すると、次のページを表示させる一方で、右フリックを検知すると、前のページを表示させる。
【０１１１】
なお、電子ノート機能部１４２は、先頭ページを表示させている場合、つまり、１ページ目を表示させている場合に、右フリックを検知したとしても、何の動作も行わないように構成してもよい。また、電子ノート機能部１４２は、最終ページを表示させている場合に、左フリックを検知した場合、新規ページを作成するとともに、当該新規ページへのページ送りを行ってもよい。
【０１１２】
なお、電子ノート機能部１４２は、ページ情報を表示する際に、表示画面を２つの領域に分割して、一方の表示領域に、あるページのページ情報を表示し、他方の表示領域に別のページ情報を表示してもよい。
【０１１３】
次に、図５を用いて、電子ノートに対して行う編集機能について説明する。電子ノートの編集において、ユーザは、図５示すような、各種の編集機能を集約したツールボックス２１０を使用することができる。ツールボックス２１０は、タッチパネル部１２０におけるユーザの操作、すなわちアプリケーション部１４１から通知されるジェスチャー情報に応じて呼び出される。
【０１１４】
ツールボックス２１０には、利用中のアプリケーションで利用するツール(電子文具)が格納されている。
【０１１５】
図５に示すツールボックス２１０には、一例として、定規２１１、リフィル２１２、アートナイフ２１３およびペンケース２１４が格納されている。
【０１１６】
定規２１１は、直線や、円形などの図形描画を編集領域２０２において行うためのツールである。
【０１１７】
リフィル２１２は、ページの追加および削除を行うためのツールである。リフィル２１２によりページの追加を行う場合は、ユーザに追加するページのリフィルタイプを選択させる。
【０１１８】
また、アートナイフ２１３は、編集領域２０２において、手入力した編集情報の切り出し機能を実現するためのものであり、いわゆるカットアンドペースト機能を実現するものである。アートナイフ２１３によりカットアンドペーストを行うときには、まず切り出す対象の領域を囲んで、対象の領域を切り取る。そして、切り取った領域を、同じページ内の別の場所にドラッグしたり、異なるページに移動させたりして、所望の場所にペーストする。
【０１１９】
そして、ペンケース２１４は、電子ノートを編集するための主なツールであり、手入力を行うためのツールである。ユーザは、ペンケース２１４から、所望のペンの種類、例えばペンの太さ・色を選択して入力を行うことができる。
【０１２０】
なお、機能切り替え操作によって電子ノート機能が起動状態となったときに、最初にペンケース２１４のペンツールが選択されている状態になるように電子ノート機能部１４２を構成してもよい。また、ペンケース２１４には、一度手書き入力した編集情報を消去するための消しゴムツールを有している。
【０１２１】
（ページ削除機能）
図５を用いて、ツールボックス２１０のリフィル２１２により電子ノートのページを削除する機能について説明したが、電子ノート機能部１４２は、電子ノートのページ削除機能に関し、さらに、以下に示すようなユーザーインターフェースを実現している。
【０１２２】
再び図１を参照して、電子ノート機能部１４２が提供するページ削除機能のユーザーインターフェースについて説明すると、次のとおりである。すなわち、電子ノート機能部１４２は、状態移行部（入力操作検知手段）１１、削除受付状態表示部（受付状態表示手段）１２、削除受付部（ページ処理手段）１３、ページ削除部（ページ処理手段、削除表示手段、状態復帰手段）１４および削除中止指示部（削除中止手段）１５を備える。
【０１２３】
状態移行部１１は、アプリケーション部１４１から通知されるジェスチャー情報が、現在表示しているページの削除を受け付ける状態、すなわち削除モードに移行するよう指示する削除モード移行ジェスチャー情報である場合、電子ノート機能部１４２を削除モードに移行させるものである。
【０１２４】
削除受付状態表示部１２は、電子ノート機能部１４２が、状態移行部１１によって、削除モードになったときに、表示部１２１に削除モードであることを示す画面表示を行わせるものである。
【０１２５】
削除受付部１３は、削除モードにおいて、ページの削除を指示するジェスチャーを示す削除ジェスチャー情報を受け付けるものである。具体的には、削除受付部１３は、アプリケーション部１４１から通知されるジェスチャー情報が、ページの削除を指示するものか否かを判定する。そして、ジェスチャー情報がページの削除を指示する削除ジェスチャー情報である場合、削除受付部１３は、ページ削除部１４に、現在表示されているページを削除するよう指示する。
【０１２６】
ページ削除部１４は、削除受付部１３からの指示に応じて、ページを削除する表示効果を表示部１２１に表示させるとともに、現在表示されているページの削除を行うものである。この表示効果については、後に詳しく説明する。
【０１２７】
また、ページ削除部１４は、ページを削除する表示効果を表示させているとき、ページの削除の中止指示を受け付けることもできる。ページ削除部１４は、ページの削除の中止指示を受け付けると、現在削除しようとしているページの削除を中止する。
【０１２８】
なお、ページ削除部１４が削除したページ情報は、削除ページ保持部１３２に退避しておいてもよく、任意のタイミングで削除ページ保持部１３２から元に戻したり、完全に消去したりできるようになっていてもよい。
【０１２９】
しかしながら、これに限られず、ページ追加部１７は、削除したページのページ情報を、すぐに電子ノート情報記憶部１３１から削除してもよい。
【０１３０】
また、ページ削除部１４は、ページを削除する際に、削除したページの次のページ以降に割り当てられているページ番号を、それぞれデクリメントするなどして適宜更新する。
【０１３１】
削除中止指示部１５は、ページ削除部１４がページを削除する表示効果を表示させている間に、アプリケーション部１４１からページの削除の中止を指示するジェスチャーを示す中止ジェスチャー情報が通知された場合、現在削除しようとしているページの削除の中止指示をページ削除部１４に送信するものである。
【０１３２】
（ページ削除機能の動作詳細）
次に、図６〜図１１を用いて、電子ノート機能部１４２が有する電子ノートのページ削除機能の動作詳細について説明する。
【０１３３】
まず、図３にて示したような１ページ目のページ情報Ｐ１が表示されているとき、状態移行部１１は、削除モード移行ジェスチャー情報を受け付ける。
【０１３４】
ここで、削除モード移行ジェスチャー情報とは、図６に例示するようなジェスチャーを示すジェスチャー情報のことである。具体的には、削除モード移行ジェスチャー情報とは、図６に示すように、ユーザが指１５２等を、画面左端の領域２２０のＡ地点からＢ地点まで矢印Ｆ３の方向に、上下にドラッグさせるジェスチャーを示すジェスチャー情報のことである。なお、これに限られず、削除モード移行ジェスチャー情報は、領域２２０における矢印Ｆ３の方向へのドラッグまたはフリックを示すものであってもよい。
【０１３５】
状態移行部１１が、図６に例示するようなジェスチャーを示す削除モード移行ジェスチャー情報を受け付けると、削除受付状態表示部１２は、図７に示すように電子ノート機能部１４２が削除モードであることを示す画面表示を表示部１２１に行わせる。
【０１３６】
具体的には、図７に示すように、削除受付状態表示部１２は、画面左端の領域２２０に切り取り線２３０を表示させる。
【０１３７】
なお、図７において、切り取り線２３０を、例示的に、一点鎖線にて示しているが、これに限られず、切り取り線２３０は、破線であっても波線であってもよく、その形式にとくに制限はない。また、削除受付状態表示部１２は、切り取り線２３０に加えて、削除モードであることを示すメッセージ、アイコン等を表示させてもよい。
【０１３８】
削除モードにおいて、図７に示すような切り取り線が領域２２０に表示されているときに、削除受付部１３は、削除ジェスチャー情報を受け付ける。
【０１３９】
具体的には、削除ジェスチャー情報とは、図８に示すように、ユーザが指１５２等を、矢印Ｆ２の向きにスライドさせるジェスチャーを示すジェスチャー情報のことである。すなわち、ユーザは、指１５２等を、画面水平方向、すなわちページの綴じ側に対する略垂直方向に左から右の向きにスライドさせることにより、現在表示されているページを削除することができる。
【０１４０】
この削除ジェスチャー情報が示すジェスチャーは、紙媒体のノートにおける“ページをノートから切り離す”という動作を模したものである。言い換えれば、削除ジェスチャーは、紙媒体のノートのページを、ページの綴じ側から離れる方向に引っ張って切り離す動作を模したものである。
【０１４１】
さらに別の表現で言い換えれば、削除ジェスチャーは、紙媒体のノートのページを、見開き中央のノドから外側の小口（前小口）の向きに引っ張って切り離すという動作を模したものである。
【０１４２】
このように、削除ジェスチャー情報が示すジェスチャーは、紙媒体のノートにおけるページ切り離し動作を模したものであるため、ユーザは、電子ノート装置１００において、直感的に電子ノートのページの削除操作を行うことができる。
【０１４３】
削除受付部１３が削除ジェスチャー情報を受信すると、ページ削除部１４は、図９に例示すようなページを削除する表示効果を表示部１２１に表示させる。
【０１４４】
具体的には、ページ削除部１４は、図９に例示するように、１ページ目のページ（ページ情報Ｐ１）が、切り取り線２３０に沿って上から下にかけて切り離されて捲れていく表示効果を表示部１２１に表示させる。また、図９に示すように、１ページ目のページが捲れることにより、２ページ目のページ情報Ｐ１の一部が表示される。
【０１４５】
なお、当該表示効果が表示されている間に、削除中止指示部１５が、中止ジェスチャー情報を受信した場合、ページ削除部１４によるページ削除の処理は中止される。
【０１４６】
中止ジェスチャーの一例について示すと、中止ジェスチャーは、削除ジェスチャーと、逆の方向、すなわち、矢印Ｆ２と逆の方向に指１５２等をスライドされるジェスチャーである。この場合、中止ジェスチャーの反対のジェスチャーを行うという点で、ユーザが直感的に操作可能である。
【０１４７】
また、中止ジェスチャーの他の例について示すと、中止ジェスチャーは、ページが切り取り線２３０に沿って上から下にかけて切り離されて捲れていくのと逆の方向、すなわち、画面の下から上に向かう方向に指１５２をスライドされるジェスチャーである。この場合、表示効果を阻止する、つまりページが捲れるのを阻止するような操作感覚で、ユーザが削除を中止することができる。
【０１４８】
また、中止ジェスチャーの別の例について示すと、中止ジェスチャーは、単にタッチパネル部１２０をタッチ操作するものであってもよい。また、この場合、タッチ操作が、所定期間、継続した場合に削除中止指示部１５が、ページ削除部１４にページ削除の処理の中止を指示してもよい。また、ページ削除の処理を中止するのに要するタッチ操作の継続時間は、削除ジェスチャーの強さ（スライド距離や、加速度）に応じて変更してもよい。
【０１４９】
切り離されたページの全体が捲れて画面外に切り離されることにより当該表示効果は終了する。これにより図１０に示すように２ページ目のページ情報Ｐ２全体が表示部１２１に表示される。このとき、ページ削除部１４は、現在表示している２ページ目において、ゴミ箱アイコンを表示し、削除されたページ情報が削除ページ保持部１３２に退避されていることを示してもよい。また、ゴミ箱アイコンがタッチ操作された場合、ページ削除部１４は、削除されたページ情報のうち元に戻すページ情報をユーザに選択させて、ユーザにより選択されたページ情報を元の状態に戻してもよい。
【０１５０】
続いて、ページ削除部１４は、表示効果の表示し終わると、１ページ目のページ情報Ｐ１を、電子ノート情報記憶部１３１から削除する。
【０１５１】
なお、図１０に示す状態は、以前として電子ノート機能部１４２が削除モードであることを示しており、この状態において、ページ削除部１４は、さらに削除ジェスチャーを受け付けることができる。
【０１５２】
すなわち、指１５２等が矢印Ｆ２の向きにスライドするジェスチャーを示す削除ジェスチャー情報を削除受付部１３が受け付けると、２ページ目のページ情報Ｐ２の削除処理がページ削除部１４によって行われる。
【０１５３】
すなわち、図１１に示すように、２ページ目のページ（ページ情報Ｐ２）が、切り取り線２３０に沿って切り離される。そして、２ページ目のページ情報Ｐ２が削除されて、図１２に示すように３ページ目のページ情報Ｐ３が表示部１２１に表示される。
【０１５４】
なお、ページ情報Ｐ３には、“Ｐ．３ｍｅｍｏ  ｈｉｊｋｌｍｎ”という編集情報が手書き入力されており、当該編集情報が、編集領域２０２において表示されている。
【０１５５】
このように、削除モードでは、削除受付部１３が、連続して削除ジェスチャー情報を受け付け、これに応じてページ削除部１４が、その時点で表示されているページ情報を削除する処理を行う。
【０１５６】
なお、電子ノート機能部１４２は、削除モードに移行した後、所定時間、ジェスチャー情報を受信しないときは、図１２に示すように、切り取り線２３０を画面から消去するとともに削除モードを解除する。
【０１５７】
（電子ノート機能部の処理の流れ）
次に、図１３を用いて、電子ノート機能部１４２の処理の流れについて説明する。図１３は、電子ノート装置１００における電子ノート機能部１４２のページ削除処理の流れについて示したフローチャートである。
【０１５８】
まず、状態移行部１１が、削除モード移行ジェスチャー情報を受信すると、電子ノート機能部１４２は、削除モードに移行する（Ｓ１１）。ここで、削除受付部１３が、削除モードに移行したことを示す画面表示を表示部１２１に行わせる（Ｓ１２）。
【０１５９】
続いて、削除受付部１３が、削除ジェスチャー情報を受信すると（Ｓ１３）、ページ削除部１４が、ページを削除する表示効果を表示させるとともに、現在表示されているページのページ情報を電子ノート情報記憶部１３１から削除する（Ｓ１４）。
【０１６０】
（作用・効果）
以上のように、本実施形態に係る電子ノート装置１００は、表示部１２１と位置入力部１２２とを備えるタッチパネル部１２０における入力操作に応じて、ページ単位でページ情報を表示部１２１に表示する電子ノート装置１００において、表示するページにおける辺のうち、ページの綴じ側の辺に沿った方向のジェスチャーを示す削除モード移行ジェスチャー情報を受け付ける状態移行部１１と、状態移行部１１が削除モード移行ジェスチャー情報を受け付けた後、上記綴じ側の辺から離れる方向のジェスチャーを示すジェスチャー情報を削除受付部１３が受け付けると、現在表示しているページのページ情報を削除するページ削除部１４と、を備える構成である。
【０１６１】
上記構成により、紙媒体のノート・書籍のページを削除しているかのような、直感的な操作により、ユーザがページを削除できるようなユーザーインターフェースを提供することができる。
【０１６２】
〔実施形態２〕
本発明の他の実施形態について図１４〜図１７に基づいて説明すると、以下の通りである。本実施形態では、電子ノートにおいていわゆるルーズリーフ形式のユーザーインターフェースを採用した場合について説明する。なお、説明の便宜上、上記実施形態１にて説明した図面と同じ機能を有する部材については、同じ符号を付記し、その説明を省略する。
【０１６３】
まず、図１４を用いて、本実施形態に係る電子ノート装置（情報処理装置）１００Ａの他の構成例について説明する。図１４は、電子ノート装置１００Ａの他の構成例を示す機能ブロック図である。
【０１６４】
図１４に示すように、電子ノート装置１００Ａは、図１に示した電子ノート装置１００の電子ノート機能部１４２において、電子ノート機能部１４２Ａに変更したものである。
【０１６５】
電子ノート機能部１４２Ａは、図１の電子ノート機能部１４２において、状態移行部１１および削除受付状態表示部１２を、それぞれ、状態移行部１１Ａおよび追加削除受付状態表示部１２Ａに変更し、さらに追加受付部（ページ処理手段）１６およびページ追加部（ページ処理手段）１７を追加したものである。
【０１６６】
以下、図１から追加または変更のあった構成について説明すると次のとおりである。
【０１６７】
状態移行部１１Ａは、アプリケーション部１４１から通知されるジェスチャー情報が、ページの追加または現在表示しているページの削除を受け付ける状態、すなわち追加削除モードに移行するよう指示する追加削除モード移行ジェスチャー情報である場合、電子ノート機能部１４２を追加削除モードに移行させるものである。
【０１６８】
追加削除受付状態表示部１２Ａは、電子ノート機能部１４２が、状態移行部１１Ａによって、追加削除モードになったときに、表示部１２１に追加削除モードであることを示す画面表示を行わせるものである。
【０１６９】
追加受付部１６は、追加削除モードにおいて、ページの追加を指示するジェスチャーを示す追加ジェスチャー情報を受け付けるものである。具体的には、追加受付部１６は、アプリケーション部１４１から通知されるジェスチャー情報が、ページの追加を指示するものか否かを判定する。そして、ジェスチャー情報がページの追加を指示する追加ジェスチャー情報である場合、追加受付部１６は、ページ追加部１７に、新しいページを追加するよう指示する。
【０１７０】
ページ追加部１７は、追加受付部１６からの指示に応じて、ページを追加する表示効果を表示部１２１に表示させるとともに、新しいページの追加を行うものである。
【０１７１】
ページ追加部１７が新しいページを追加する位置については、現在表示されているページの前であってもよいし、後ろであってもよく特に制限はない。ページ追加部１７は、新しいページを追加した場合、新しいページのページ情報を、電子ノート情報記憶部１３１に記憶する。
【０１７２】
なお、ページ追加部１７は、ページを追加する際に、追加したページの次のページ以降に割り当てられているページ番号を、それぞれインクリメントするなどして適宜更新する。
【０１７３】
（追加削除モードの動作詳細）
図１５〜図１７を用いて、電子ノート機能部１４２Ａが有するページ追加削除機能の動作詳細について説明する。
【０１７４】
図１５は、電子ノート機能部１４２Ａが提供するユーザーインターフェースを示している。すなわち、図１５は、１ページ目のページ情報Ｐ１が、表示部１２１に表示されている状態を示している。
【０１７５】
ここで、図３に示したユーザーインターフェースと異なり、図１５に示すユーザーインターフェースでは、画面左端において、領域２２０の代わりにリング表示領域２４０が設けられており、ルーズリーフのリングを表す画像が表示されている。
【０１７６】
ここで、リング表示領域２４０には、ルーズリーフのリングが閉じられた状態となっている画像が表示される。すなわち、これは実際の文房具のルーズリーフにおいてリングによってノート紙面が綴じられている状態を模したものとなっている。
【０１７７】
電子ノート機能部１４２Ａは、図１５に示す状態において、ページ捲りジェスチャー情報を受け付ける。すなわち、電子ノート機能部１４２Ａは、図１５に示す状態において、左フリックを検知すると、次のページを表示させる一方で、右フリックを検知すると、前のページを表示させる。
【０１７８】
図１５に示すような１ページ目のページ情報Ｐ１が表示されているとき、状態移行部１１Ａは、追加削除モード移行ジェスチャー情報を受け付ける。
【０１７９】
ここで、追加削除モード移行ジェスチャー情報とは、図１６に例示するようなジェスチャーを示すジェスチャー情報のことである。具体的には、追加削除モード移行ジェスチャー情報とは、図１６に示すように、ユーザが指１５２等を、画面左端のリング表示領域２４０のＡ地点からＢ地点まで矢印Ｆ３の方向に、上下にドラッグさせるジェスチャーを示すジェスチャー情報のことである。なお、これに限られず、追加削除モード移行ジェスチャー情報は、リング表示領域２４０における矢印Ｆ３の方向へのドラッグまたはフリックを示すものであってもよい。
【０１８０】
状態移行部１１Ａが、図１６に例示するようなジェスチャーを示す追加削除モード移行ジェスチャー情報を受け付けると、追加削除受付状態表示部１２Ａは、図１７に示すように電子ノート機能部１４２Ａが追加削除モードであることを示す画面表示を表示部１２１に行わせる。
【０１８１】
具体的には、図１７に示すように、追加削除受付状態表示部１２Ａは、画面左端のリング表示領域２４０において、ルーズリーフのリングが開放された状態を示す画像を表示する。
【０１８２】
実際の文房具のルーズリーフでは、ノート紙面を綴じているリングを開放した状態において、リフィルを挿入したり、取り除いたりできる。図１７においてリング表示領域２４０に表示されている画像は、この状態を模したものである。
【０１８３】
追加削除モードにおいては、削除受付部１３が、削除ジェスチャー情報を受け付ける一方で、追加受付部１６が、追加ジェスチャー情報を受け付ける。
【０１８４】
削除受付部１３が受け付ける削除ジェスチャー情報については、すでに図８等を用いて説明したとおりであるので、その説明を省略する。
【０１８５】
追加受付部１６が受け付ける追加ジェスチャー情報について説明すると次のとおりである。すなわち、追加ジェスチャー情報とは、図１７に示すように、ユーザが指１５２等を矢印Ｆ１の向きにスライドさせるジェスチャーを示すジェスチャー情報のことである。すなわち、ユーザは、指１５２等を、画面水平方向、すなわちページの綴じ側に対する略垂直方向に右から左の向きにスライドさせることにより、新しいページを追加することができる。すなわち、ページの綴じ側に対して接近するジェスチャーにより、ユーザは、リフィルの追加を行うことができる。
【０１８６】
なお、追加される新しいページは、現在表示されているページの前であってもよいし、後ろであってもよい。
【０１８７】
この追加ジェスチャー情報が示すジェスチャーは、実際の文房具のルーズリーフにおける“リングにノート紙面を挿入する”という動作を模したものである。
【０１８８】
なお、電子ノート機能部１４２Ａは、追加削除モードに移行した後、所定時間、ジェスチャー情報を受信しないときは、追加削除モードを解除する。
【０１８９】
このように、追加ジェスチャー情報が示すジェスチャーは、実際の文房具のルーズリーフにおけるノート紙面の追加動作を模したものであるため、ユーザは、電子ノート装置１００において、直感的に、リフィルの追加操作を行うことができる。
【０１９０】
以上のように、電子ノート装置１００Ａは、ページ単位で提示される電子情報を表示しているときに、ページの綴じ側にある辺付近に対する入力操作を検知することで、ページの増減を受け付ける。そして、電子ノート装置１００Ａは、削除ジェスチャー情報または追加ジェスチャー情報を受け付けることにより、ページの増減を行う。
【０１９１】
このため、電子ノート装置１００Ａは、ページを増減する処理を行う場合の便宜を図ったユーザーインターフェースを提供することができる。
【０１９２】
（変形例）
以下において、図１８および図１９を用いて、電子ノート装置１００Ａの好ましい変形例について説明する。以下で説明する変形例は、電子ノート機能部１４２Ａが、ルーズリーフのリングのレバーを表示させて、このレバーに対する入力操作を受け付けるものである。
【０１９３】
電子ノート機能部１４２Ａは、図１８に示すように、画面左側において、レバー表示領域２５１Ａ、Ｂにルーズリーフのリングのレバーを表す画像を表示させるとともに、リング表示領域２５０にルーズリーフのリングを表示させる。
【０１９４】
より具体的に説明すると、実際のルーズリーフに設けられているリングのレバーのように、リングの両端に位置づけられるよう、レバー表示領域２５１Ａ、Ｂは、それぞれ、リング表示領域２５０の両端、言い換えれば画面左側の上端および下端に設けられる。
【０１９５】
実際のルーズリーフにおいては、リングのレバーを引き下げる操作してリングを開放した状態にしたり、リングのレバーを引き上げる操作をしてリングを閉じた状態にしたりすることができる。電子ノート機能部１４２Ａが、レバー表示領域２５１Ａ、Ｂに表示するのレバーの画像は、このルーズリーフの外観を模したものになっている。
【０１９６】
図１８では、ルーズリーフのリングが閉じられた状態となっており、この状態において、電子ノート機能部１４２Ａは、ページ捲りジェスチャー情報を受け付けたことに応じて、ページ送り動作を行う。このページ送り動作については、上述のとおりであるので、ここではその説明を省略する。
【０１９７】
ここで、状態移行部１１Ａは、レバー操作ジェスチャー情報を受け付ける。レバー操作ジェスチャー情報とは、ユーザが指１５２等を、レバー表示領域２５１Ａ、Ｂでタッチ操作を行うジェスチャーを示すジェスチャー情報のことである。
【０１９８】
レバー操作ジェスチャー情報は、具体的な例を挙げれば、レバー表示領域２５１Ａ、Ｂのいずれか一方をタッチする操作を示すものである。
【０１９９】
また、他の具体例を挙げれば、レバー操作ジェスチャー情報は、略同時に、あるいはある程度の期間内に、レバー表示領域２５１Ａ、Ｂの両方にタッチする操作を示すものである。
【０２００】
また、このジェスチャーは、シングルタッチであってもダブルタッチであってもよく、適宜変更が可能である。
【０２０１】
状態移行部１１Ａが、レバー操作ジェスチャー情報を受け付けると、追加削除受付状態表示部１２Ａは、図１９に示すように、電子ノート機能部１４２Ａが追加削除モードであることを示す画面表示を表示部１２１に行わせる。
【０２０２】
具体的には、図１９に示すように、追加削除受付状態表示部１２Ａは、レバー表示領域２５１Ａ、Ｂにおいて、引き下げられたレバーの画像を表示するとともに、画面左端のリング表示領域２５０において、ルーズリーフのリングが開放された状態を示す画像を表示する。すなわち、この状態において、削除受付部１３が、削除ジェスチャー情報を受け付ける一方で、追加受付部１６が、追加ジェスチャー情報を受け付ける。シートの追加・削除については、既に説明したとおりであるので、その説明を省略する。
【０２０３】
なお、ここで、状態移行部１１Ａが、さらにレバー操作ジェスチャー情報を受け付けた場合、図１８に示したリングが閉じた状態に遷移する。
【０２０４】
（結び）
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２０５】
上記では、電子ノート装置１００、１００Ａの各ブロック、特に電子ノート機能部１４２、電子ノート機能部１４２Ａを、ＣＰＵを用いてソフトウェアによって実現する例について説明した。
【０２０６】
すなわち、電子ノート装置１００、１００Ａは、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである電子ノート装置１００、１００Ａの制御プログラムのプログラムコード（実行形式プログラム、中間コードプログラム、ソースプログラム）をコンピュータで読み取り可能に記録した記録媒体を、上記電子ノート装置１００、１００Ａに供給し、そのコンピュータ（またはＣＰＵやＭＰＵ）が記録媒体に記録されているプログラムコードを読み出し実行することによっても、達成可能である。
【０２０７】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２０８】
また、電子ノート装置１００、１００Ａを通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。また、電子ノート装置１００、１００Ａの各ブロックは、ハードウェアロジックによって構成してもよい。
【産業上の利用可能性】
【０２０９】
本発明は、ページ単位で電子情報を表示する電子ノート装置において、直感的な、ページの削除等のインターフェースを提供する。本発明は、タッチパネルインターフェースを具備し、電子ノート機能を有するタブレットＰＣ、携帯端末等において広く好適に利用することができる。
【符号の説明】
【０２１０】
１１、１１Ａ    状態移行部（入力操作検知手段）
１２    削除受付状態表示部（受付状態表示手段）
１２Ａ  追加削除受付状態表示部
１３    削除受付部（ページ処理手段）
１４    ページ削除部（ページ処理手段、削除表示手段、状態復帰手段）
１５    削除中止指示部（削除中止手段）
１６    追加受付部（ページ処理手段）
１７    ページ追加部（ページ処理手段）
１００、１００Ａ    電子ノート装置（情報処理装置）
１２０    タッチパネル部
１２１    表示部
１２２    位置入力部（タッチパネル）
１３０    記憶部
１３１    電子ノート情報記憶部
１３２    削除ページ保持部
１４０    主制御部
１４１    アプリケーション部
１４２、１４２Ａ    電子ノート機能部
１５１    タッチペン
１５２    指
２０２    編集領域
２２０    領域
２３０    切り取り線
２４０    リング表示領域
【図１】
0005705499.tif 000002
【図２】
0005705499.tif 000003
【図３】
0005705499.tif 000004
【図４】
0005705499.tif 000005
【図５】
0005705499.tif 000006
【図６】
0005705499.tif 000007
【図７】
0005705499.tif 000008
【図８】
0005705499.tif 000009
【図９】
0005705499.tif 000010
【図１０】
0005705499.tif 000011
【図１１】
0005705499.tif 000012
【図１２】
0005705499.tif 000013
【図１３】
0005705499.tif 000014
【図１４】
0005705499.tif 000015
【図１５】
0005705499.tif 000016
【図１６】
0005705499.tif 000017
【図１７】
0005705499.tif 000018
【図１８】
0005705499.tif 000019
【図１９】
0005705499.tif 000020